(57)【要約】【課題】被験者の体位によらず、且つ、被験者に違和感や不快感を与えることなく、生体情報を正確に測定する。【解決手段】生体情報測定装置１は、金属基板と、当該金属基板に設けられ、外部から加えられる圧力に応じて出力電圧が変化するピエゾ素子とを備えた圧力検出センサ１０により、被験者Ａの生体情報を測定する。この圧力検出センサ１０は、被験者Ａが横たわるマットレス３を挟んで被験者Ａに接触しない位置に配置されるとともに、マットレス３に横たわる被験者Ａの胸部近傍の位置に配置される。【選択図】図１
2008220392.tif 000002
【特許請求の範囲】
【請求項１】
金属基板と、前記金属基板に設けられ、外部から加えられる圧力に応じて出力電圧が変化するピエゾ素子とを備えた圧力検出センサを用いて、被験者の生体情報を測定することを特徴とする生体情報測定装置。
【請求項２】
前記圧力検出センサは、被験者が横たわる横臥部材を挟んで当該被験者に接触しない位置に配置されることを特徴とする請求項１に記載の生体情報測定装置。
【請求項３】
前記圧力検出センサは、前記横臥部材に横たわる前記被験者の胸部近傍の位置に配置されることを特徴とする請求項２に記載の生体情報測定装置。
【請求項４】
前記圧力検出センサは、被験者が着座する着座部材を挟んで当該被験者に接触しない位置に配置されることを特徴とする請求項１に記載の生体情報測定装置。
【発明の詳細な説明】
【技術分野】
【０００１】
本発明は、被験者の生体情報を測定する生体情報測定装置に関する。
【背景技術】
【０００２】
従来、種々の圧力センサを利用して被験者の呼吸や心拍などの生体情報を測定する装置が開発されている（例えば、特許文献１参照）この特許文献１には、敷布団などの寝具上に設けられたピエゾシート上に横たわった被験者の呼吸や心拍などの生体情報を検出して、被験者の異常をモニタリングする在床異常モニタ装置が開示されている。
【０００３】
【特許文献１】特開２００２−３３６２０７号公報
【発明の開示】
【発明が解決しようとする課題】
【０００４】
しかしながら、上記特許文献１に開示された在床異常モニタ装置では、被験者がピエゾシートに直接接触しなければならず、被験者にピエゾシートによる違和感や不快感を与えてしまうという問題があった。このように被験者がピエゾシートを直接接触しなければならないのは、ピエゾシートに設けられる圧力検出センサの感度が十分でないので、ピエゾシートを直接被験者に接触させなければ、生体情報を正確に検出できないからである。また、被験者がピエゾシートに座った場合には、被験者がピエゾシートに横たわる場合に比べて、横隔膜や心臓がピエゾシートの圧力検出センサから離れるので、横隔膜の運動によって行われる呼吸や心臓の拍動である心拍を正確に捉えるのが困難であった。
【０００５】
そこで、この発明は、上記のような課題を解決するためになされたものであり、被験者の体位によらず、且つ、被験者に違和感や不快感を与えることなく、生体情報を正確に測定することが可能な生体情報測定装置を提供することを目的とする。
【課題を解決するための手段および発明の効果】
【０００６】
上記目的を達成するために、この発明の生体情報測定装置は、金属基板と、金属基板に設けられ、外部から加えられる圧力に応じて出力電圧が変化するピエゾ素子とを備えた圧力検出センサを用いて、被験者の生体情報を測定する。
【０００７】
本願発明者の実験により、ピエゾ素子が金属基板に設けられた圧力検出センサを利用すれば、呼吸や心拍などによる被験者の微小の変位に係る圧力変化を正確に捉えることができることが見出された。また、本願発明者は、当該圧力検出センサを被験者に直接接触させずに、被験者が横たわるマットレスなどを挟んで配置した場合でも、呼吸や心拍などによる被験者の微小の変位に係る圧力変化を正確に捉えることができることを確認した。さらに、本願発明者は、被験者が椅子に着座する状態など当該圧力検出センサが横隔膜及び心臓がある胸部の近傍の位置に配置されない場合でも、被験者の体位に関わらず、横隔膜の運動による呼吸及び心臓の拍動による心拍に係る圧力変化を正確に捉えることができることを確認した。
【０００８】
そのため、金属基板にピエゾ素子が設けられた圧力検出センサを用いて被験者の生体情報を測定する本発明の生体情報測定装置では、被験者の体位によらず呼吸や心拍などの生態情報を正確に捉えることができる。また、当該圧力検出センサを被験者が横たわるマットレスなどを挟んで配置した場合には、被験者に違和感や不快感を与えることなく、呼吸や心拍などの生態情報を正確に捉えることができる。
【０００９】
上記生体情報測定装置において、好ましくは、圧力検出センサは、被験者が横たわる横臥部材を挟んで当該被験者に接触しない位置に配置される。
【００１０】
上記構成によれば、横臥部材に横たわる被験者に圧力検出センサによる違和感や不快感を与えることなく、当該被験者の生体情報を正確に捉えることができる。
【００１１】
この場合、好ましくは、圧力検出センサは、横臥部材に横たわる被験者の胸部近傍の位置に配置される。
【００１２】
上記構成によれば、横隔膜の運動による呼吸及び心臓の拍動による心拍を、横隔膜及び心臓の近傍の位置で検出することができる。その結果、被験者に圧力検出センサによる違和感や不快感を与えることなく、被験者の生体情報をより正確に捉えることができる。
【００１３】
上記生体情報測定装置において、好ましくは、圧力検出センサは、被験者が着座する着座部材を挟んで当該被験者に接触しない位置に配置される。
【００１４】
上記構成によれば、着座部材に着座する被験者に圧力検出センサによる違和感や不快感を与えることなく、当該被験者の生体情報を正確に捉えることができる。
【発明を実施するための最良の形態】
【００１５】
以下、本発明の好適な生体情報測定装置の実施の形態について詳細に説明する。
【００１６】
（第１実施形態）
図１は、本発明の第１実施形態に係る生体情報測定装置の全体構成を示した模式図であり、図２は、図１に示した生体情報測定装置の圧力検出センサの模式図である。まず、図１及び図２を参照して、第１実施形態に係る生体情報測定装置１の構成について詳細に説明する。
【００１７】
本実施形態の生体情報測定装置１は、ベッドに横たわる非拘束の被験者Ａの呼吸及び心拍を測定して、その呼吸及び心拍に係る情報をモニタリングするための装置である。なお、上記した非拘束とは、呼吸や心拍を検知するためのセンサを被験者Ａに直接取り付けるためのバンドなどの拘束部材が被験者Ａに取り付けられていない状態をいう。この生体情報測定装置１は、図１に示すように、圧力検出センサ１０と、当該圧力検出センサ１０と有線又は無線により通信可能に接続されるコンピュータ２０とを備えている。
【００１８】
圧力検出センサ１０は、マットレス３に横たわる被験者Ａの呼吸（横隔膜の運動）及び心拍（心臓の拍動）による圧力を検出する機能を有している。この圧力検出センサ１０は、ベッドフレーム２とその上に載置されるマットレス３との間に設けられており、被験者Ａが横たわるマットレス３を挟んで被験者Ａに接触しない位置に配置されている。また、圧力検出センサ１０は、マットレス３に横たわる被験者Ａの胸部近傍の位置に配置されている。この圧力検出センサ１０は、図２に示すように、ステンレス製の金属基板１１と、金属基板１１に貼り合わされるピエゾ素子１２と、導電性膜１３とを有している。
【００１９】
ステンレス製の金属基板１１は、後述するピエゾ素子１２の補強板として機能する。この金属基板１１は、ピエゾ素子１２の受圧用ダイヤフラム（図示せず）を歪ませることが可能な薄さで、且つ、ピエゾ素子１２を補強することが可能な厚さに適宜調整される。
【００２０】
ピエゾ素子１２は、外部から加えられる圧力に応じて出力電圧の大きさを変化させる。このため、被験者Ａの呼吸や心拍に係る圧力を出力電圧として検出することができる。このピエゾ素子１２は、外部から加えられる圧力を受けることによって歪む受圧用ダイヤフラムと、当該受圧用ダイヤフラムの歪みに応じて抵抗値が変化するピエゾ抵抗を含む検出回路（図示せず）とを備えている。したがって、マットレス３に横たわる被験者Ａの呼吸や心拍に係る圧力により、受圧用ダイヤフラムが歪んで、ピエゾ抵抗の抵抗値が変化するので、当該ピエゾ抵抗を含む検出回路から出力される出力電圧の大きさが変化する。
【００２１】
導電性膜１３は、銀やアルミニウムなどの金属材料からなり、上述したピエゾ素子１２の出力電圧の導通路として機能する。そして、ピエゾ素子１２の出力電圧は、導電性膜１３を介してコンピュータ２０の制御装置２１に出力される。
【００２２】
コンピュータ２０は、ピエゾ素子１２から導電性膜１３を介して入力される出力電圧を解析して、その解析結果を出力する。このコンピュータ２０は、制御装置２１と、表示装置２２と、入力装置２３とを備えている。
【００２３】
制御装置２１は、ＲＯＭ、ＣＰＵ、ＲＡＭ、ハードディスク、入出力インターフェイス及び画像出力インターフェイスなどから構成されており、それらの間はバスによってデータ通信可能に接続されている。この制御装置２１のハードディスクには、オペレーティングシステムの他に、呼吸・心拍解析プログラム、及び、当該呼吸・心拍解析プログラムの実行に必要なデータなど種々の情報が格納されている。
【００２４】
この呼吸・心拍解析プログラムは、ＦＦＴ（高速フーリエ変換）によるスペクトル解析を行うためのプログラムであり、当該呼吸・心拍解析プログラムを利用すれば、圧力検出センサ１０で検出された出力電圧のスペクトル解析を行うことが可能となる。具体的には、呼吸・心拍解析プログラムにより、安静状態で４．０秒に約１回行われる呼吸を示す約０．２５Ｈｚの帯域のスペクトルと、安静状態で１分間に約５０〜約９０回行われる心拍を示す約０．８Ｈｚ〜約１．５Ｈｚの帯域のスペクトルとを捉えることが可能となる。
【００２５】
また、制御装置２１の入出力インターフェイスには、各種情報を入力するためのキーボードやマウスなどの入力装置２３が接続され、画像出力インターフェイスには、表示装置２２が接続されている。この表示装置２２は、画像出力インターフェイスから出力される映像信号に従って、所定の画像を表示する。具体的には、上記した呼吸・心拍解析プログラムによるスペクトル解析に係るグラフ（図３〜図８参照）が表示装置２２に表示される。
【００２６】
第１実施形態では、上記のように、ステンレス製の金属基板１１にピエゾ素子１２が設けられた圧力検出センサ１０を用いてマットレス３に横たわる被験者の生体情報を測定することにより、被験者の体位によらず、且つ、被験者に違和感や不快感を与えることなく、呼吸や心拍などによる被験者の微小の変位に係る圧力変化を正確に捉えることができる。
【００２７】
また、第１実施形態では、圧力検出センサ１０を被験者Ａが横たわるマットレス３を挟んで当該被験者Ａに接触しない位置に配置することによって、マットレス３に横たわる被験者Ａに圧力検出センサ１０による違和感や不快感を与えることなく、被験者Ａの呼吸及び心拍などの生体情報を正確に捉えることができる。
【００２８】
また、第１実施形態では、圧力検出センサ１０をマットレス３に横たわる被験者Ａの胸部近傍の位置に配置することによって、横隔膜の運動による呼吸及び心臓の拍動による心拍を、横隔膜及び心臓の近傍の位置で検出することができる。その結果、被験者の呼吸及び心拍をより正確に捉えることができる。
【００２９】
（比較実験）
次に、上記した第１実施形態の効果を確認するために行った比較実験について説明する。この比較実験では、約１８ｃｍの厚みを有するスプリングマットレスの下に圧力検出センサを配置した第１実施形態に対応する実施例１に係る生体情報測定装置と、当該圧力検出センサとは異なる圧力検出センサを用いた比較例１及び比較例２に係る生体情報測定装置とにより得られる周波数スペクトルを比較した。また、約５ｃｍの厚みを有する布団マットレスの下に圧力検出センサを配置した第１実施形態に対応する実施例２に係る生体情報測定装置と、当該圧力検出センサとは異なる圧力検出センサを用いた比較例３及び比較例４に係る生体情報測定装置とにより得られる周波数スペクトルについても比較した。なお、被験者はマットレスに仰向けの状態で横たわり、圧力検出センサはいずれも横たわった被験者の胸部近傍に配置される。また、被験者は、安静状態（心拍数：約５０回／分〜約９０回／分）で、４．０秒に約１回呼吸を行うものとする。以下、詳細に説明する。
【実施例１】
【００３０】
圧力検出センサとして、ステンレス製の金属基板にピエゾ素子が貼り付けられた約０．１３ｍｍの厚みを有するセンサを用いた。
【００３１】
上記圧力センサを用いた実施例１に係る生体情報測定装置では、図３（ａ）に示すように、約０．２５Ｈｚの帯域にスペクトルの突出が見られた。その結果、実施例１では、呼吸成分を正確に捉えていることが分かった。
【００３２】
また、実施例１に係る生体情報測定装置では、図３（ｂ）に示すように、約１．２Ｈｚの帯域にスペクトルの突出が見られた。その結果、実施例１では、心拍成分を正確に捉えていることが分かった。
【比較例１】
【００３３】
圧力検出センサとして、セラミックス製の基板にピエゾ素子が貼り付けられた約０．５ｍｍの厚みを有するセンサを用いた。
【００３４】
上記圧力センサを用いた比較例１に係る生体情報測定装置では、図４（ａ）に示すように、約０．２５Ｈｚの帯域にスペクトルの突出が見られた。その結果、比較例１では、呼吸成分を正確に捉えていることが分かった。
【００３５】
しかしながら、比較例１に係る生体情報測定装置では、図４（ｂ）に示すように、約０．８Ｈｚ〜約１．５Ｈｚの帯域にスペクトルの突出が見られなかった。その結果、比較例１では、心拍成分を捉えることができなかった。
【比較例２】
【００３６】
圧力検出センサとして、６０個の感圧ポイント（以下、タクセルという）がマトリクス状に配置された約６．０ｍｍの厚みを有するセンサを用いた。このセンサの各タクセルでは、光ファイバが埋め込まれたセンシング材の歪みにより当該光ファイバから出射される散乱光の錯乱半径が変化して錯乱光の輝度が変化するので、その錯乱光の強度を測定することにより各タクセルに加わる測定することができる。
【００３７】
上記圧力センサを用いた比較例２に係る生体情報測定装置では、図５（ａ）に示すように、約０．２５Ｈｚの帯域にスペクトルの突出が見られた。その結果、比較例２では、呼吸成分を正確に捉えていることが分かった。
【００３８】
しかしながら、比較例２に係る生体情報測定装置では、図５（ｂ）に示すように、約０．８Ｈｚ〜約１．５Ｈｚの帯域にスペクトルの突出が見られなかった。その結果、比較例２では、心拍成分を捉えることができなかった。
【００３９】
上記実施例１、比較例１及び比較例２の結果をまとめると、表１に示すように、約１８ｃｍの厚みを有するスプリングマットレスの下に圧力検出センサを配置した場合に、呼吸成分及び心拍成分のいずれも捉えることができたのは、実施例１のみであり、比較例１及び比較例２では心拍成分を捉えることができなかった。
【００４０】
【表１】
2008220392.tif 000003
【実施例２】
【００４１】
圧力検出センサとして、実施例１と同様に、ステンレス製の金属基板にピエゾ素子が貼り付けられた約０．１３ｍｍの厚みを有するセンサを用いた。
【００４２】
上記圧力センサを用いた実施例２に係る生体情報測定装置では、図６（ａ）に示すように、約０．２５Ｈｚの帯域にスペクトルの突出が見られた。その結果、実施例２では、呼吸成分を正確に捉えていることが分かった。
【００４３】
また、実施例２に係る生体情報測定装置では、図６（ｂ）に示すように、約１．２Ｈｚの帯域にスペクトルの突出が見られた。その結果、実施例２では、心拍成分を正確に捉えていることが分かった。
【比較例３】
【００４４】
圧力検出センサとして、比較例１と同様に、セラミックス製の基板にピエゾ素子が貼り付けられた約０．５ｍｍの厚みを有するセンサを用いた。
【００４５】
上記圧力センサを用いた比較例３に係る生体情報測定装置では、図７（ａ）に示すように、約０．２５Ｈｚの帯域にスペクトルの突出が見られた。その結果、比較例３では、呼吸成分を正確に捉えていることが分かった。
【００４６】
また、比較例３に係る生体情報測定装置では、図７（ｂ）に示すように、約１．１Ｈｚの帯域にスペクトルの突出が見られた。その結果、比較例３では、心拍成分を正確に捉えていることが分かった。
【比較例４】
【００４７】
圧力検出センサとして、比較例２と同様に、６０個のタクセルがマトリクス状に配置された約６．０ｍｍの厚みを有するセンサを用いた。
【００４８】
上記圧力センサを用いた比較例４に係る生体情報測定装置では、図８（ａ）に示すように、約０．２５Ｈｚの帯域にスペクトルの突出が見られた。その結果、比較例４では、呼吸成分を正確に捉えていることが分かった。
【００４９】
また、比較例４に係る生体情報測定装置では、図８（ｂ）に示すように、約１．０Ｈｚ〜約１．１Ｈｚの帯域にスペクトルの突出が見られた。その結果、比較例４では、心拍成分を正確に捉えていることが分かった。
【００５０】
上記実施例２、比較例３及び比較例４の結果をまとめると、表２に示すように、約５ｃｍの厚みを有する布団マットレスの下に圧力検出センサを配置した場合には、実施例２、比較例３及び比較例４のいずれも呼吸成分及び心拍成分を捉えることができた。
【００５１】
【表２】
2008220392.tif 000004
【００５２】
（第２実施形態）
図９は、本発明の第２実施形態に係る生体情報測定装置の全体構成を示した模式図である。ベッドに横たわる被験者の生体情報を測定する第１実施形態に係る生体情報測定装置１と異なり、この第２実施形態では、椅子１０２に着座する非拘束の被験者Ａの呼吸及び心拍を測定して、その呼吸及び心拍に係る情報をモニタリングする生体情報測定装置１００について詳細に説明する。なお、この第２実施形態では、被験者Ａが着座する椅子１０２の座面に載置されるマットレス１０３の下に圧力検出センサ１１０が設けられること以外は第１実施形態と同様の構成であるので、同一部材には同一符号を付しその説明を省略する。
【００５３】
圧力検出センサ１１０は、椅子１０２に着座する被験者Ａの呼吸（横隔膜の運動）及び心拍（心臓の拍動）を検出する機能を有している。この圧力検出センサ１１０は、椅子１０２と椅子１０２の座面に載置されるマットレス１０３との間に設けられており、被験者Ａが着座するマットレス１０３を挟んで被験者に接触しない位置に配置されている。
【００５４】
第２実施形態では、上記のように、ステンレス製の金属基板にピエゾ素子が設けられた圧力検出センサ１１０を用いて椅子１０２に着座した被験者の生体情報を測定することにより、被験者の体位によらず、且つ、被験者に違和感や不快感を与えることなく、呼吸や心拍などによる被験者の微小の変位に係る圧力変化を正確に捉えることができる。
【００５５】
また、第２実施形態では、圧力検出センサ１１０を被験者Ａが着座する椅子１０２のマットレス１０３を挟んで当該被験者Ａに接触しない位置に配置することによって、マットレス１０３に着座する被験者Ａに圧力検出センサ１１０による違和感や不快感を与えることなく、当該被験者Ａの生体情報を正確に捉えることができる。
【００５６】
（比較実験）
次に、上記した第２実施形態の効果を確認するために行った比較実験について説明する。この比較実験では、椅子の座面に載置されるマットレスの下に圧力検出センサを配置した第２実施形態に対応する実施例３に係る生体情報測定装置と、当該圧力検出センサとは異なる圧力検出センサを用いた比較例５に係る生体情報測定装置とにより得られる周波数スペクトルを比較した。なお、被験者は、安静状態（心拍数：約５０回／分〜約９０回／分）で、４．０秒に約１回呼吸を行うものとする。以下、詳細に説明する。
【実施例３】
【００５７】
圧力検出センサとして、実施例１及び実施例２と同様に、ステンレス製の金属基板にピエゾ素子が貼り付けられた約０．１３ｍｍの厚みを有するセンサを用いた。
【００５８】
上記圧力センサを用いた実施例３に係る生体情報測定装置では、図１０（ａ）に示すように、約０．２５Ｈｚの帯域にスペクトルの突出が見られた。その結果、実施例３では、呼吸成分を正確に捉えていることが分かった。
【００５９】
また、実施例３に係る生体情報測定装置では、図１０（ｂ）に示すように、約１．１Ｈｚ〜約１．２Ｈｚの帯域にスペクトルの突出が見られた。その結果、実施例３では、心拍成分を正確に捉えていることが分かった。
【比較例５】
【００６０】
圧力検出センサとして、比較例２及び比較例４と同様に、６０個のタクセルがマトリクス状に配置された約６．０ｍｍの厚みを有するセンサを用いた。
【００６１】
上記圧力センサを用いた比較例５に係る生体情報測定装置では、図１１（ａ）に示すように、約０．２５Ｈｚの帯域にスペクトルの突出が見られた。その結果、比較例５では、呼吸成分を正確に捉えていることが分かった。
【００６２】
しかしながら、比較例５に係る生体情報測定装置では、図１１（ｂ）に示すように、約０．８Ｈｚ〜約１．５Ｈｚの帯域にスペクトルの突出が見られなかった。その結果、比較例５では、心拍成分を捉えることができなかった。
【００６３】
上記実施例３及び比較例５の結果をまとめると、表３に示すように、椅子の座面に載置されたマットレスの下に圧力検出センサを配置した場合、実施例３では呼吸成分及び心拍成分のいずれも捉えることができたのに対して、比較例５では心拍成分を捉えることができなかった。
【００６４】
【表３】
2008220392.tif 000005
【００６５】
なお、今回開示された実施形態は、すべての点で例示であって制限的なものではないと考えられるべきである。本発明の範囲は、上記した実施形態の説明ではなく特許請求の範囲によって示され、さらに特許請求の範囲と均等の意味および範囲内でのすべての変更が含まれる。
【００６６】
例えば、上記第２実施形態では、圧力検出センサを椅子の座面に載置されるマットレスの下に配置する例について説明したが、本発明はこれに限らず、圧力検出センサが載置された椅子の座面上に被験者が直接着座する場合にも、呼吸成分及び心拍成分を正確に捉えることができる。この比較実験の結果として、ステンレス製の金属基板にピエゾ素子が貼り付けられた圧力検出センサが載置された椅子に直接被験者が着座した実施例４に係る生体情報測定装置では、図１２（ａ）及び（ｂ）に示すように、約０．２５Ｈｚの帯域にスペクトルの突出が見られるとともに、約１．０Ｈｚ〜約１．２Ｈｚの帯域にスペクトルの突出が見られた。一方、６０個のタクセルがマトリクス状に配置された圧力検出センサが載置された椅子に直接被験者が着座した比較例６に係る生体情報測定装置では、図１３（ａ）及び（ｂ）に示すように、約０．２５Ｈｚの帯域にスペクトルの突出が見られるが、約０．８Ｈｚ〜約１．５Ｈｚの帯域にスペクトルの突出が見られなかった。上記実施例４及び比較例６の結果をまとめると、表４に示すように、圧力検出センサが載置された椅子の座面に被験者が直接着座した場合、実施例４では呼吸成分及び心拍成分のいずれも捉えることができたのに対して、比較例６では心拍成分を捉えることができなかった。
【００６７】
【表４】
2008220392.tif 000006
【００６８】
また、上記実施形態では、生体情報として呼吸及び心拍を測定する例について説明したが、本発明はこれに限らず、呼吸及び心拍以外の生体情報（例えば、体動など）を測定してもよい。
【００６９】
また、上記第１実施形態では、圧力検出センサを被験者の胸部近傍の位置に配置する例について説明したが、本発明の圧力検出センサの位置は、被験者の胸部近傍の位置に限定されない。
【図面の簡単な説明】
【００７０】
【図１】本発明の第１実施形態に係る生体情報測定装置の全体構成を示した模式図である。
【図２】図１に示した生体情報測定装置の圧力検出センサの模式図である。
【図３】実施例１に係る生体情報測定装置により得られる周波数スペクトルを示したグラフである。
【図４】比較例１に係る生体情報測定装置により得られる周波数スペクトルを示したグラフである。
【図５】比較例２に係る生体情報測定装置により得られる周波数スペクトルを示したグラフである。
【図６】実施例２に係る生体情報測定装置により得られる周波数スペクトルを示したグラフである。
【図７】比較例３に係る生体情報測定装置により得られる周波数スペクトルを示したグラフである。
【図８】比較例４に係る生体情報測定装置により得られる周波数スペクトルを示したグラフである。
【図９】本発明の第２実施形態に係る生体情報測定装置の全体構成を示した模式図である。
【図１０】実施例３に係る生体情報測定装置により得られる周波数スペクトルを示したグラフである。
【図１１】比較例５に係る生体情報測定装置により得られる周波数スペクトルを示したグラフである。
【図１２】実施例４に係る生体情報測定装置により得られる周波数スペクトルを示したグラフである。
【図１３】比較例６に係る生体情報測定装置により得られる周波数スペクトルを示したグラフである。
【符号の説明】
【００７１】
１、１００  生体情報測定装置
１０、１１０  圧力検出センサ
１１  金属基板
１２  ピエゾ素子
１３  導電性膜
２０  コンピュータ
２１  制御装置
２２  表示装置
２３  入力装置
【図１】
2008220392.tif 000007
【図２】
2008220392.tif 000008
【図３】
2008220392.tif 000009
【図４】
2008220392.tif 000010
【図５】
2008220392.tif 000011
【図６】
2008220392.tif 000012
【図７】
2008220392.tif 000013
【図８】
2008220392.tif 000014
【図９】
2008220392.tif 000015
【図１０】
2008220392.tif 000016
【図１１】
2008220392.tif 000017
【図１２】
2008220392.tif 000018
【図１３】
2008220392.tif 000019